(57)【特許請求の範囲】
【請求項１】
扉の室外側で鍵の挿入により施解錠操作が可能なシリンダ錠を備え、扉の室内側にシリンダ錠と連動して施解錠操作が可能な操作部を備えた施解錠装置であって、
扉の室内側に設けられるケースと、
一端部がケース内部に位置し且つ回動により扉ロック部材をロック位置とアンロック位置とに移動させることができる軸部材と、
前記ケースに形成された挿入口に挿入可能であるとともに、前記軸部材の一端部に嵌合可能な操作軸を有し、且つ、該操作軸の外周に沿って形成された係合溝を有するサムターンと、
前記ケースと前記軸部材との間に軸支部によって回動可能に軸支されると共に、付勢部材により前記挿入口を遮蔽する方向に付勢され、前記軸支部から離れた他端部側に前記サムターンの操作軸が前記軸部材に嵌合しているとき前記係合溝に係合可能な係合部と、前記軸支部の近傍となる一端部に連結用の突出部とを設けたシャッターと、
前記ケース内に前記軸部材と直交する方向に移動可能に配設され、一端部に前記シャッターの突出部に連結される係合凹部を有するとともに、他端部が前記ケースの外部に突出され、前記シャッターを前記付勢部材の付勢力に抗して回動させる操作部材と、
を備えたことを特徴とする施解錠装置。
【請求項２】
請求項１に記載の施解錠装置において、前記操作部材を前記軸部材の一端部外周に対し該軸部材の軸線と直交する方向に移動可能に設け、前記軸部材の一端部外周の所定位置に凹溝を設け、前記操作部材の前記一端部には、前記シャッターが前記サムターンの操作軸外周の係合溝に係合しているとき、前記凹溝の外に位置するとともに、前記軸部材が所定回動角度位置のとき前記凹溝内に入り込むことができる凸部を設けたことを特徴とするサムターン装置。
【請求項３】
扉の室外側で鍵の挿入により施解錠操作が可能なシリンダ錠と、
扉の室内側にシリンダ錠と連動して施解錠操作が可能な操作部と、
扉の室内側に設けるケースと、
一端部がケース内部に位置し且つ回動により扉ロック部材をロック位置とアンロック位置とに移動させることができる軸部材と、
前記ケースに形成された挿入口に挿入可能であるとともに、前記軸部材の一端部に嵌合可能な操作軸を有し、且つ、該操作軸の外周に沿って形成された係合溝を有するサムターンと、
前記ケースと前記軸部材の間に回動可能に軸支されると共に、付勢部材により前記挿入口を遮蔽する方向に付勢され、前記サムターンの操作軸が前記軸部材に嵌合しているとき前記係合溝に係合可能な係合部を有するシャッターと、
一端が前記シャッターの軸支部近傍に連結されるとともに、他端が前記ケースの外部に突出され、前記シャッターを前記付勢部材の付勢力に抗して回動させる操作部材とを備えた施解錠装置であって、
前記操作部材を前記軸部材の一端部外周に対し該軸部材の軸線と直交する方向に移動可能に設け、
前記軸部材の一端部外周の所定位置に凹溝を設け、
前記操作部材の前記一端部には、前記シャッターが前記サムターンの操作軸外周の係合溝に係合しているとき、前記凹溝の外に位置するとともに、前記軸部材が所定回動角度位置のとき前記凹溝内に入り込むことができる凸部を設けたことを特徴とするサムターン装置。
【発明の詳細な説明】
【０００１】
【発明の属する技術分野】
本発明は、玄関扉等に好適に使用できる施解錠装置に関し、更に詳しくは、扉の室外側に鍵（キー）の挿入によって施解錠を行うシリンダ錠を備えるとともに、扉の室内側にシリンダ錠と連動して施解錠を行うサムターン（手動操作部）を備えた施解錠装置の改良に関する。
【０００２】
【従来の技術】
この種の施解錠装置は、外出時等は扉の外からシリンダ錠に鍵（キー）を挿入して回すことにより、また、室内ではサムターンを回すことにより、扉を閉位置に施錠することができる。
【０００３】
しかし、例えば、明かり窓を備えた扉の場合、窓を壊わして中に手を入れるとサムターンを簡単に回すことができてしまうという難点がある。
【０００４】
そこで、サムターンを施解錠装置のケースに形成した挿入口からケース内部の軸部材に対し挿抜可能に嵌合させることにより、施錠後にサムターンを抜き取ることができるようにしたものが知られている。
【０００５】
しかし、この場合、扉を開閉動させたときの衝撃や振動等によりサムターンが不用意に抜け落ち、紛失してしまう虞れがある。
また、サムターンとケース内部の操作軸との嵌合形状が単純な形状の場合、施錠後にサムターンを抜き取っていても、ケースの挿入口から類似形状のサムターンや工具等を挿入し、操作軸と係合させることにより、解錠することができてしまうという欠点がある。
【０００６】
一方、扉の室内側にも室外側のシリンダ錠と連動するシリンダ錠を設け、室内側のシリンダ錠に鍵（キー）を挿入して施解錠を行うようにしたものも知られている。
しかし、このような構成の場合、室内外双方にシリンダ錠を備える必要があるため、構造が複雑化し大型化するとともに、高価なものになるという欠点がある。
【０００７】
【発明が解決しようとする課題】
したがって、本発明の目的は、構造が簡素で安価に製造できるとともに、コンパクトで防犯性に優れた施解錠装置を提供することにある。
【０００８】
【課題を解決するための手段】
上記した課題を解決するために、本発明では第１の発明として、扉の室外側で鍵の挿入により施解錠操作が可能なシリンダ錠を備え、扉の室内側にシリンダ錠と連動して施解錠操作が可能な操作部を備えた施解錠装置であって、扉の室内側に設けられるケースと、一端部がケース内部に位置し且つ回動により扉ロック部材をロック位置とアンロック位置とに移動させることができる軸部材と、前記ケースに形成された挿入口に挿入可能であるとともに、前記軸部材の一端部に嵌合可能な操作軸を有し、且つ、該操作軸の外周に沿って形成された係合溝を有するサムターンと、前記ケースと前記軸部材との間に軸支部によって回動可能に軸支されると共に、付勢部材により前記挿入口を遮蔽する方向に付勢され、前記軸支部から離れた他端部側に前記サムターンの操作軸が前記軸部材に嵌合しているとき前記係合溝に係合可能な係合部と、前記軸支部の近傍となる一端部に連結用の突出部とを設けたシャッターと、前記ケース内に前記軸部材と直交する方向に移動可能に配設され、一端部に前記シャッターの突出部に連結される係合凹部を有するとともに、他端部が前記ケースの外部に突出され、前記シャッターを前記付勢部材の付勢力に抗して回動させる操作部材と、を備えたことを特徴とする施解錠装置を提案する。
【０００９】
上記構成を有する施解錠装置においては、サムターンの操作軸がケース内部の軸部材の一端部に嵌合しているとき、シャッターが付勢部材の付勢力を受けてサムターンの操作軸外周の係合溝に係合しているので、サムターンが不用意に抜け落ちることを防止できる。
【００１０】
また、ケース外部から操作部材を操作すると、操作部材の係合凹部とシャッターの突出部との連結部を介し、シャッターが付勢部材の付勢力に抗して回動され、シャッターの係合部がサムターンの操作軸外周の係合溝から離脱するので、サムターンをケースの挿入口から抜き取ることが可能となる。
【００１１】
しかも、サムターンを抜き取った後、操作部材から手を離すと、シャッターは付勢部材の付勢力を受けて回動し、ケースの挿入口を塞ぐことができるので、ケースの挿入口から不正に工具等が挿入されることを確実に防止することができる。したがって、防犯性に優れた施解錠装置を提供することができる。
【００１２】
しかも、上記構成によれば、シャッターはケース内で軸支されて回動する構成であるので、ケースの挿入口を遮蔽するための大きな移動ストロークを確保する必要があってもケース内部にコンパクトに収容することができる。したがって、施解錠装置全体の大型化を防止することができる。
【００１３】
また、操作部材はシャッターの軸支部近傍に連結されており、操作部材の僅かな移動によってシャッターを大きく移動させることができるので、ケース外部への操作部材の突出量を小さくすることができる。
したがって、施解錠装置全体を小型化できるとともに、操作部材を外部から目立たなくすることができるので、防犯性を一層向上させることができる。
【００１４】
さらに、第２の発明としては、上記第１の発明の施解錠装置において、前記操作部材を前記軸部材の一端部外周に対し該軸部材の軸線と直交する方向に移動可能に設け、前記軸部材の一端部外周の所定位置に凹溝を設け、前記操作部材の前記一端部には、前記シャッターが前記サムターンの操作軸外周の係合溝に係合しているとき、前記凹溝の外に位置するとともに、前記軸部材が所定回動角度位置のとき前記凹溝内に入り込むことができる凸部を設けたことを特徴とするサムターン装置を提案する。
【００１５】
上記構成の施解錠装置においては、シャッターがサムターンの操作軸外周の係合溝に係合しているとき、すなわち、サムターンの操作軸がケース内部の軸部材の一端部に嵌合しているとき、操作部材の凸部が軸部材の一端部外周の所定位置に設けられている凹溝の外に位置しているので、軸部材の回動を自由に許容することができる。
【００１６】
また、サムターンを抜き取るときは、サムターンにより軸部材を所定位置、例えば、施錠位置、解錠位置まで回動させると、操作部材の凸部が軸部材の一端部外周の凹溝に入り込むことができるようになるので、操作部材の凸部が軸部材の凹溝に入り込む位置まで操作部材をケースの外部から押し込むことにより、シャッターを付勢部材の付勢力に抗して回動させることが可能となる。
これより、シャッターをサムターンの操作軸外周の係合溝から離脱させることができ、これにより、サムターンをケースの挿入口から抜き出すことができるようになる。
【００１７】
また、サムターンを抜き取り、シャッターがケースの挿入口を塞ぐ位置へと移動するとき、操作部材の凸部は軸部材の一端部外周の凹溝から離れた位置へと移動するので、サムターンを抜き取った後は、軸部材が自由に回動することができる。
したがって、扉の室外側でシリンダ錠に鍵を差し込んで施錠解錠の操作を支障なく行うことができる。
【００１８】
一方、軸部材が所定位置以外の回動位置にあるときは、軸部材の一端部外周の凹溝の位置が操作部材の凸部の移動経路上からずれているため、操作部材をケースの外部から押し込んでも、操作部材の凸部が軸部材の一端部外周の凹溝内に入り込むことができない。
このため、操作部材によってシャッターをサムターンの操作軸外周の係合溝から離脱させることができない。
【００１９】
このように、サムターンを挿抜するときの軸部材の回動位置を所定位置に規制することができるので、サムターンが抜き取られているときは、軸部材が所定の回動位置にあることを容易に視認できるものとなり、防犯性が一層向上するものとなる。
【００２０】
また、第３の発明としては、扉の室外側で鍵の挿入により施解錠操作が可能なシリンダ錠と、扉の室内側にシリンダ錠と連動して施解錠操作が可能な操作部と、
扉の室内側に設けるケースと、一端部がケース内部に位置し且つ回動により扉ロック部材をロック位置とアンロック位置とに移動させることができる軸部材と、
前記ケースに形成された挿入口に挿入可能であるとともに、前記軸部材の一端部に嵌合可能な操作軸を有し、且つ、該操作軸の外周に沿って形成された係合溝を有するサムターンと、前記ケースと前記軸部材の間に回動可能に軸支されると共に、付勢部材により前記挿入口を遮蔽する方向に付勢され、前記サムターンの操作軸が前記軸部材に嵌合しているとき前記係合溝に係合可能な係合部を有するシャッターと、一端が前記シャッターの軸支部近傍に連結されるとともに、他端が前記ケースの外部に突出され、前記シャッターを前記付勢部材の付勢力に抗して回動させる操作部材とを備えた施解錠装置であって、前記操作部材を前記軸部材の一端部外周に対し該軸部材の軸線と直交する方向に移動可能に設け、前記軸部材の一端部外周の所定位置に凹溝を設け、前記操作部材の前記一端部には、前記シャッターが前記サムターンの操作軸外周の係合溝に係合しているとき、前記凹溝の外に位置するとともに、前記軸部材が所定回動角度位置のとき前記凹溝内に入り込むことができる凸部を設けたことを特徴とするサムターン装置を提案する。
【００２１】
この第３の発明のサムターン装置は、シャッターと操作部材とによる防犯機能に加え、操作部材に設けた凸部と軸部材に設けた凹溝とによって達成される機能、つまり、サムターンが抜き取られたときの軸部材の回動位置を容易に視認できるようにして防犯性を一層向上させることができる。
【００２２】
【発明の実施の形態】
以下、図面を参照して本発明の好ましい実施形態を説明する。
図１から図６は本発明の一実施形態を示したものであり、図１は施解錠装置の主要部分解要部縦断面側面図である。
図２は図１に示す施解錠装置を扉に取り付けた状態を示す主要部縦断面側面図であり、図３は図１に示す施解錠装置のサムターンを抜き取った状態を示す主要部縦断面図である。
【００２３】
図４（ａ）は図１に示す施解錠装置に用いられる軸部材の正面図、図４（ｂ）は同軸部材の側面図、図４（ｃ）は図４（ａ）中４ｃ−４ｃ線に沿った要部断面図、図４（ｄ）は図４（ａ）中４ｄ−４ｄ線に沿った断面図である。
【００２４】
図５は図１に示す施解錠装置のケースへの主要部品組付け状態を示す背面図であり、図６（ａ）、（ｂ）、（ｃ）、（ｄ）、（ｅ）はそれぞれ図１に示す施解錠装置のシャッター及び操作部材の動作を示すケース内部の正面図である。
【００２５】
はじめに図１及び図２を参照すると、この実施形態の施解錠装置は、扉１０の室内側に取り付けられる取付板１１を備えており、この取付板１１にはこの取付板１１全体を覆うケース１２がねじ止めされている。
【００２６】
扉１０の内部にはその側端面から突出可能なロック部材１５を備えたロック装置１４が組み込まれており、このロック装置１４には、ロック部材１５をロック位置とアンロック位置とに移動させるための軸部材１６が連結されている。
【００２７】
軸部材１６は扉１０の厚み方向に延びており、軸部材１６の一端部はケース１２内に位置するとともに、他端部は該他端部に取り付けられる軸部材ヘッド１７を介して取付板１１に回動可能に支持されている。
【００２８】
扉１０の室外側には鍵（キー）を挿入して回動部を回動することができるシリンダ錠１８が設けられており、このシリンダ錠１８の回動部は軸部材１６と連結されている。
したがって、シリンダ錠１８に鍵を挿入して回動することにより、ロック装置１４のロック部材１５をロック位置とアンロック位置とに移動させることができる。
【００２９】
図３によってより明らかなように、施解錠装置はケース１２内の軸部材１６の一端部に連結することができるサムターン１９を備えている。
サムターン１９はつまみ部２０とその背面中心部から後方に突出する操作軸２１を有しており、操作軸２１の先端部外周に歯形部２２が形成されている。
また、歯形部２２とつまみ部２０との間となる操作軸２１の外周には、その全周にわたって延びる環状の係合溝２３が形成されている。
【００３０】
図４に示すように、軸部材１６の一端部には該軸部材１６の軸本体部２４よりも大径の連結部２５が形成されており、この連結部２５と軸本体部２４との間に略円形のフランジ部２６が一体に形成されている。
軸部材１６の一端部端面、すなわち、連結部２５の端面には内周面に上記操作軸２１の外周歯形部２２と噛合する歯形を形成した嵌合穴２７が形成されている。
【００３１】
連結部２５の端面とケース１２の内面との間には所定幅の隙間が確保されており、また、サムターン１９の操作軸２１の係合溝２３は、操作軸２１が軸部材１６の嵌合穴２７に嵌合しているとき、ケース１２の内面と連結部２５の端面との間の隙間内に位置するものとなっている。
【００３２】
ケース１２の前面壁には軸部材１６の軸線と同軸に挿入口２８が形成されており、サムターン１９はその操作軸２１をケース１２の挿入口２８からケース１２の内部に挿入可能であり、また、操作軸２１の先端の外周歯形部２２を軸部材１６の嵌合穴２７に対し挿抜可能に嵌合させることができるものとなっている。
【００３３】
サムターン１９の操作軸２１を軸部材１６の嵌合穴２７に嵌合させると、サムターン１９は軸部材１６と一体に回動するものとなる。
したがって、サムターン１９の操作軸２１を軸部材１６の嵌合穴２７に嵌合させた状態でサムターン１９を回動させると、軸部材１６を介してロック装置１４のロック部材１５をロック位置とアンロック位置とに移動させることができる。
【００３４】
更に、図１に示すように、この実施形態においては、ケース１２の内部に電気信号により施解錠駆動する駆動装置３０が設けられている。
詳細な説明は省略するが、この駆動装置３０は、ケーシング３１の内部に設けられたモーターと減速機構を備えており、減速機構の出力軸はクラッチ機構３２を介して軸部材１６に連結されている。
したがって、外部から駆動装置３０に信号を与えることにより、モーターを駆動し、その出力でクラッチ機構３２を介して軸部材１６を回動させることができる。
【００３５】
図５に示すように、ケース１２の内面には支軸３３が設けられており、この支軸３３にはケース１２の前面壁内面と軸部材１６の一端部、すなわち、連結部２５の端面との間に位置するシャッター３４の基端部が回動可能に軸支されている。
また、シャッター３４は支軸３３に装着された付勢部材としてのばね３５により、ケース１２の挿入口２８を塞ぐ方向に付勢されている。
ケース１２の内面には、シャッター３４が挿入口２８を塞ぐ位置でシャッター３４の先端と当接し、シャッター３４の移動ストロークを規制するストッパ３６が設けられている。
【００３６】
さらに、シャッター３４は、サムターン１９の操作軸２１が軸部材１６の嵌合穴２７に嵌合する位置にあるとき、操作軸２１の外周の係合溝２３に係合することができる係合部３７を有している。
【００３７】
また、図２及び図３に示すように、ケース１２の前面壁内面と軸部材１６の一端部、すなわち、連結部２５の端面との間には、一端がシャッター３４に連結されるとともに、他端がケース１２の外部に突出する操作部材３８が設けられている。
【００３８】
図５に示すように、この操作部材３８は、ケース１２の内面に設けられた案内部３９により、扉１０の内壁面と平行な方向、より好ましくは、軸部材１６の軸線と直交する方向に移動可能に案内されるようになっている。
【００３９】
この操作部材３８により、シャッター３４をばね３５の付勢力に抗してケース１２の挿入口２８を閉鎖する位置から開放する方向に回動させることができる。
【００４０】
さらに具体的に説明すると、操作部材３８の一端部側辺には係合凹部４０が形成されており、シャッター３４にはその基端部から突出して係合凹部４０に係合する突起部４１が設けられている。
そして、好ましくは、この突起部４１は支軸３３の近傍で操作部材３８の係合凹部４０と係合しており、シャッター３４の上記係合部３７はその突起部４１よりも支軸３３から離れた位置に形成される。
【００４１】
したがって、操作部材３８の僅かな移動量によってシャッター３４に大きな移動ストロークを与えることが可能である。
また、操作部材３８の上記他端はケース１２の前面近傍の下部から外部下方に突出している。
【００４２】
さらに、この実施形態においては、図４に示すように、軸部材１６の一端部外周、すなわち、連結部２５の外周の所定位置には凹溝４２が設けられている。
一方、操作部材３８の上方一端部には凸部４３が設けられており、この凸部４３は、シャッター３４がサムターン１９の操作軸２１の外周の係合溝２３に係合しているとき、凹溝４２の外に位置するとともに、軸部材１６が所定回動角度位置、例えば解錠位置や、施錠位置のとき凹溝４２内に入り込むことができるように形成されている。
【００４３】
なお、凸部４３が凹溝４２に係合するときの軸部材１６の回動位置を施錠位置と解錠位置に対応させるのであれば、連結部２５の外周に２つの凹溝４２を設けておけば足りるが、解錠する際の回動方向が時計回り方向の場合と、反時計回り方向の場合とがあるので、この実施形態における軸部材１６は、これら両方向の回動に共通部品として使用できるようにするために、連結部２５の外周面に３つの凹溝４２が約１／４円弧のピッチ間隔で形成されている。
【００４４】
さらに、図１〜図３に示すように、軸部材１６とシャッター３４との間にはスペーサー４４が配置されており、このスペーサー４４は、該スペーサー４４と軸部材１６のフランジ部２６との間に介装されたばね４５によってケース１２の前面壁の内面に向けて付勢されている。
このばね４５の適度な付勢力により、シャッター３４と操作部材３８がケース１２の前面壁とスペーサー４４とにより挟まれ、軸方向にガタのない状態に保持されている。
【００４５】
次に、主に図６を参照して、上記構成を有する施解錠装置の作用を説明する。
図２に示すように、サムターン１９の操作軸２１がケース１２の内部の軸部材１６の嵌合穴２７に嵌合しているときは、図６（ａ）に示すように、シャッター３４は、ばね３５（図５参照）の付勢力を受けてサムターン１９の操作軸２１の外周の係合溝２３に係合しているので、サムターン１９が不用意に抜け落ちることを防止できる。
一方、このとき操作部材３８の凸部４３は、軸部材１６の連結部２５の外周面に形成されている凹溝４２の外に位置しているので、軸部材１６は自由に回動することができる。
【００４６】
次に、ロック装置１５を解錠又は施錠させるためにサムターン１９を所定角度回動させると、軸部材１６の連結部２５の外周に形成されている３つの凹溝４２のうちの１つが、操作部材３８の凸部４３と係合可能な位置まで移動するので、図６（ｂ）に示すように、操作部材３８をケース１２の外部から押圧操作し、凸部４３が凹溝４２に係合する位置まで移動させると、シャッター３４がばね３５の付勢力に抗して回動し、これによりシャッター３４の係合部３７がサムターン１９の操作軸２１の外周係合溝２３から離れるので、サムターン１９の操作軸２１をケース１２の挿入口２８からケース１２の外部に抜き取ることができる。
【００４７】
そして、サムターン１９を抜き取った後、操作部材３８から手を離すと、図６（ｃ）に示すように、シャッター３４はばね３５の付勢力を受けて、ケース１２の挿入口２８を塞ぐ位置まで回動する。
このとき、ケース１２の挿入口２８をシャッター３４で完全に塞ぐこともできるので、ケース１２の挿入口２８から不正に工具等が挿入されることを確実に防止することができる。
【００４８】
また、サムターン１９が抜き取られているとき、図６（ｃ）に示すように、操作部材３８はケース１２の外部に突出した状態にあり、操作部材３８の凸部４３は、軸部材１６の連結部２５の外周の凹溝４２から離れているので、軸部材１６は自由に回動することができる。
【００４９】
したがって、外出するときは、サムターン１９で解錠した後、サムタ−ン１９を取り外し、扉１０を開けて外に出た後、扉１０を閉め、鍵をシリンダ錠１８に差し込み施錠することができる。
また、室内でサムターン１９を回して施錠し、サムターン１９を抜き取っている場合であっても、室外から鍵をシリンダ錠１８に差し込み解錠することができるので、好都合である。
【００５０】
また、図６（ｄ）に示すように、サムターン１９により軸部材１６を所定位置以外の位置、例えば解錠位置と施錠位置との中間位置まで回したときは、軸部材１６の連結部２５の凹溝４２は操作部材３８の凸部４３とは係合しない角度位置にあるため、操作部材３８をケース１２の外部から押し込むと、凸部４３が連結部２５の外周面に当接して止まるので、シャッター３４は確実に開く位置まで回動することができず、係合部３７が操作軸２１の係合溝２３に係合した位置に保たれる。
したがって、サムターン１９を抜き取ることができない。
【００５１】
このことは、サムターン１９が抜き取られたときは、軸部材１６が所定位置、例えば、施錠位置、解錠位置等にあることを意味することとなるので、サムターン１９が無いときは施錠又は解錠状態であることを容易に視認できることとなる。
【００５２】
さらに、図６（ｅ）に示すように、サムターン１９を抜き取った状態のとき、操作軸２１の形状が異なる別のサムターン、例えば、操作軸２１の外周に係合溝２３の無いサムターンがケース１２の挿入口２８から挿入されたときは、たとえサムターンの操作軸２１を軸部材１６の嵌合穴２７に嵌合させることができたとしても、シャッター３４の係合部３７が係合溝２３との係合位置まで回動することができないため、操作部材３８の凸部４３が軸部材１６の連結部２５の凹溝４２から離脱できず、凹溝４２に係合した状態に保たれる。
このため、そのサムターンでは軸部材１６を回すことができないため、解錠することはできない。したがって、不正なサムターンによる解錠を防止することができる。
【００５３】
しかも、上記構成の施解錠装置においては、シャッター３４はケース１２内で軸支されて回動する構成であるので、ケース１２の挿入口２８を遮蔽するための大きな移動ストロークを確保する必要があっても、ケース１２の内部にコンパクトに収容することができる。したがって、施解錠装置全体の大型化を防止することができる。
【００５４】
また、上記したように、操作部材３８はシャッター３４の軸支部近傍に連結されており、操作部材３８の僅かな移動によってシャッター３４を大きく移動させることができるので、ケース１２の外部への操作部材３８の突出量を小さくすることができる。
したがって、施解錠装置全体を小型化できるとともに、操作部材３８を外部から目立たなくすることができるので、防犯性を一層向上させることができる。
【００５５】
以上図示実施形態につき説明したが、本発明は上記実施形態の態様のみに限定されるものではなく、特許請求の範囲に記載した範囲内でその構成要素に種々の変更を加えることができる。
【００５６】
例えば、サムターン１９と軸部材１６との嵌合形態は任意に選択することができる。
また、上記実施形態の施解錠装置は、シリンダ錠とサムターンの他に、電気信号で駆動する駆動装置３０を備えているが、シリンダ錠とサムターンのみによって施錠及び解錠を行う手動操作型の施解錠装置に対しても本発明を適用できることは言うまでもない。
【００５７】
【発明の効果】
以上の説明から明らかなように、本発明によれば、構造が簡素で安価に製造できるとともに、コンパクトで防犯性に優れた施解錠装置を提供することができる。
【図面の簡単な説明】
【図１】本発明の一実施形態に係る施解錠装置を分解した状態を示す要部縦断面側面図である。
【図２】図１に示す施解錠装置を扉に取り付けた状態を示す主要部縦断面側面図である。
【図３】図１に示す施解錠装置のサムターンを抜き取った状態を示す主要部縦断面図である。
【図４】（ａ）は図１に示す施解錠装置に用いられる軸部材の正面図、（ｂ）は同軸部材の側面図、（ｃ）は（ａ）中４ｃ−４ｃ線に沿った要部断面図、（ｄ）は（ａ）中４ｄ−４ｄ線に沿った断面図である。
【図５】図１に示す施解錠装置のケースへの主要部品組付け状態を示す背面図である。
【図６】（ａ）、（ｂ）、（ｃ）、（ｄ）、（ｅ）はそれぞれ図１に示す施解錠装置のシャッター及び操作部材の動作を示すケース内部の正面図である。
【符号の説明】
１０    扉
１１    取付板
１２    ケース
１４    ロック装置
１５    ロック部材
１６    軸部材
１８    シリンダ錠
１９    サムターン
２０    つまみ部
２１    操作軸
２３    係合溝
２５    連結部
２７    嵌合穴
２８    挿入口
３０    駆動装置
３２    クラッチ機構
３３    支軸部
３４    シャッター
３５    ばね
３７    係合部
３８    操作部材
４２    凹溝
４３    凸部
【図１】
0004006488.tif 000002
【図２】
0004006488.tif 000003
【図３】
0004006488.tif 000004
【図４】
0004006488.tif 000005
【図５】
0004006488.tif 000006
【図６】
0004006488.tif 000007